(57)【特許請求の範囲】
【請求項１】
食品などの被収納物が収納される容器内に設けられ、所定の薬効を有する薬剤を上記容器内の所定の壁面に保持する薬剤保持具において、
一方の面が上記容器内の所定の壁面に取り付けられる基板部を有し、同基板部には、その他方の面側に上記薬剤を保持する保持手段と、上記基板部に対して弾性復元力が生ずるように折り曲げ可能とされた羽根部とが設けられ、上記羽根部は上記薬剤が上記保持手段により保持される際、その弾性復元力に抗して上記薬剤の内面側に折り曲げられ、上記薬剤に反発力を加えることを特徴とする薬剤保持具。
【請求項２】
上記保持手段は、上記基板部の一方の対向する２辺から延設された第１保持片および第２保持片を備え、これら各保持片の先端には、それぞれ反対側の側辺から切り込まれた噛合用の係止溝が形成されている請求項１に記載の薬剤保持具。
【請求項３】
上記羽根部は、上記基板部の他方の対向する２辺に一対として設けられている請求項１または２に記載の薬剤保持具。
【請求項４】
上記基板部、上記保持手段および上記羽根部は、柔軟性を有する合成樹脂板により一体に形成されている請求項１，２または３に記載の薬剤保持具。
【請求項５】
上記基板部の一方の面には両面粘着（接着）テープが設けられている請求項１ないし４のいずれか１項に記載の薬剤保持具。
【発明の詳細な説明】
【０００１】
【発明の属する技術分野】
本発明は、容器内に収納される食品などの品質を維持するための薬剤を保持する薬剤保持具に関し、さらに詳しく言えば、その薬剤を容器内の所定位置に簡単かつ確実に保持する薬剤保持具に関するものである。
【０００２】
【従来の技術】
湿気などに弱い食品（例えばコーヒーや海苔など）は、一般に密閉容器に保存されるが、蓋の開閉に伴なって外気にさらされるため、その容器内に除湿剤や脱酸素剤など所定の薬効を有する薬剤を入れて、食品の品質を維持するようにしている。代表的にはシリカゲルがあるが、この種の薬剤は食品への混入を防止するため、通常は薬剤パックとして通気性を有する袋内に入れられている。
【０００３】
ところで、この種の薬剤パックは、往々にしてコーヒーなどの食品物とともに容器内に入れ込んで使用されるが、例えば食品をスプーンなどで取り出す場合に薬剤パックが邪魔になる。また、容器を傾けて食品を落とし出す場合には薬剤パックも一緒に出てしまうおそれがある。さらには、薬剤が不織布などの袋に入れられているとしても、食品と直に触れることに対して拒絶を示す消費者も少なくない。
【０００４】
そこで、薬剤パックを容器の裏蓋部分にホルダー（薬剤保持具）介して取り付けることが行われている。このホルダーには、容器の裏蓋部分に嵌合するように形成されたバネ線条からなるものや、容器の裏蓋部分に貼り付けられる箱状もしくはポケット状のものなどが知られている。
【０００５】
【発明が解決しようとする課題】
このようなホルダーによれば、薬剤パックが容器の裏蓋部分に保持されるため、食品の取り出し時に邪魔にならない。また、食品と直に触れないため消費者に好んで受け入れやすい。
【０００６】
しかしながら、バネ線条からなるものは取り付けられる容器が限定され、汎用性がない。また、その製造コストも高い。これに対して、箱状もしくはポケット状のものは両面テープなどで裏蓋に取り付けることができるため、汎用性はあるが、次のような課題がある。
【０００７】
すなわち、薬剤パックを箱もしくはポケットに入れることにより、空気との接触が悪なり、除湿剤で言えば除湿効果が半減してしまう。また、蓋を開け閉めする際に薬剤パックが外れたりするおそれもある。
【０００８】
【課題を解決するための手段】
本発明は、このような課題を解決するためになされたもので、その目的は、薬剤（好ましくはパック状のもの）を容器の大きさや形状に関わらず、その容器内の所定部位に簡単かつ確実に保持できるようにした汎用性が高く、しかも安価である薬剤保持具を提供することにある。
【０００９】
上記目的を達成するため、本発明は、食品などの被収納物が収納される容器内に設けられ、所定の薬効を有する薬剤を上記容器内の所定の壁面に保持する薬剤保持具において、一方の面が上記容器内の所定の壁面に取り付けられる基板部を有し、同基板部には、その他方の面側に上記薬剤を保持する保持手段と、上記基板部に対して弾性復元力が生ずるように折り曲げ可能とされた羽根部とが設けられ、上記羽根部は上記薬剤が上記保持手段により保持される際、その弾性復元力に抗して上記薬剤の内面側に折り曲げられ、上記薬剤に反発力を加えることを特徴としている。
【００１０】
上記保持手段は、上記基板部の一方の対向する２辺から延設された第１保持片および第２保持片を備え、これら各保持片の先端には、それぞれ反対側の側辺から切り込まれた噛合用の係止溝が形成されていることが好ましい。これによれば、その係止溝同士を対向させて、ただ単に互いに引っかけ合うだけの作業により、各保持片を簡単に連結することができる。
【００１１】
また、上記羽根部は、上記基板部の他方の対向する２辺に一対として設けられていることが好ましく、これによれば、保持手段に保持された薬剤のずれをより確実に防止することができる。また、この一対の羽根部をＬ字状に折り曲げることにより、基板部の湾曲に対抗することができる。
【００１２】
本発明において、上記基板部、上記保持手段および上記羽根部は、柔軟性を有する合成樹脂板により一体に形成することができる。また、上記基板部の一方の面には両面粘着（接着）テープが設けられていることが好ましく、これによれば、この保持具を例えば容器の裏蓋などに簡単に取り付けることができる。なお、両面粘着テープに代えて面状ファスナを用いることもできる。
【００１３】
【発明の実施の形態】
次に、本発明の実施の形態を図面を参照しながら説明する。図１は、本発明の一実施例に係る薬剤保持具１の取り付け状態を示した分解斜視図であり、図２には、この薬剤保持具１を展開してその裏面側を見た斜視図が示されている。
【００１４】
この実施例において、薬剤保持具１は、１枚の樹脂製シートを打ち抜き加工したものからなり、中央に矩形状の基板部２を備えている。基板部２の長手方向の両端には、保持手段の構成要素である第１保持片３および第２保持片４がそれぞれ延設されている。なお、基板部２は必ずしも矩形である必要はなく、例えば円形や楕円形などであってもよい。また、樹脂製シートは柔軟性のものであることが好ましい。
【００１５】
基板部２の幅方向の両端には、ずれ防止用羽根部としての第１折曲げ片５１および第２折曲げ片５２が折線５１ａ、５２ａを介してそれぞれ延設されている。この場合、折線５１ａ、５２ａは薄肉ヒンジからなり、第１折曲げ片５１および第２折曲げ片５２は、例えば９０度以上の角度に折り曲げた場合、元の状態に戻ろうとする弾性復元力を有する。基板部２の裏面側（容器に取り付けられる側の面）中央には、容器に対する取り付け手段としての両面粘着テープ６が設けられている。
【００１６】
この実施例において、第１保持片３および第２保持片４は、一端が基板部２の長手方向の端部に折線３ａ、４ａを介してそれぞれ連設された起立部３１，４１と、同起立部３１，４１の他端から折線３ｂ、４ｂを介して連設された係止部３２，４２とを備えている。
【００１７】
起立部３１，４１は、基板部２と同じ幅を有する矩形状に形成されている。係止部３２，４２は、その先端部に行くにしたがって緩やかなカーブを描きながらその幅が漸次狭くなるように形成されている。
【００１８】
係止部３２，４２の先端には、凸部３３，４３が形成されており、凸部３３，４３の付け根部分には、折線３ｂ、４ｂに対して平行となるように係止溝３４，４４が設けられている。なお、係止溝３４，４４の長さは、凸部３３，４３の幅の半分程度であり、その各先端の溝部分は凸部３３，４３の先端部に向けて鉤状に折り曲げられている。
【００１９】
係止溝３４，４４は互い違いになるように設けられており、この実施例では、一方の係止溝３４は図２において第１保持片３の左側辺側から切り込まれており、これに対して、他方の係止溝４４は第２保持片４の右側辺側から切り込まれている。
【００２０】
このように形成された薬剤保持具１は、薬剤パック７を保持する。薬剤パック７はシート状の不織布を折畳み、その周縁部分をヒートシールなどによって綴じた袋状に形成されている。その中には、図示しない所定薬効を有する薬剤が充填されている。この実施例においては、内部にシリカゲルのからなる除湿剤が袋詰めされている。
【００２１】
これ以外に、上記薬剤パック７に充填される薬剤としては、脱酸素剤、脱臭剤、防虫剤、抗菌剤、脱ガス剤など、必要薬効に応じて任意のものを選択することができる。
【００２２】
この薬剤保持具１によれば、次のようにして薬剤パック７を容器に取り付けることができる。まず、図１に示されているように、第１折曲げ片５１と第２折曲げ片５２を折線５１ａ、５２ａに沿って基板部２の反接着面側（反両面粘着テープ６側）に９０度以上の角度に折り曲げる。
【００２３】
次に、その第１折曲げ片５１および第２折曲げ片５２上に薬剤パック７を載置する。このとき、第１折曲げ片５１と第２折曲げ片５２の弾性復元力により、薬剤パック７を押し上げる力が働く。
【００２４】
そして、第１保持片３と第２保持片４の起立部３１，４１を折線３ａ、４ａを介して基板部２の反接着面側にほぼ９０度になるように折り曲げた後、その起立部３１，４１から折線３ｂ、４ｂを介して係止部３２，４２を薬剤パック７上にほぼ９０度折り曲げる。
【００２５】
次に、係止部３２の係止溝３４と、係止部４２の係止溝４４とを対向させて各係止溝同士を差し込んだ後、凸部３３，４３を互いに離れる方向に若干引っ張って係止部３２，４２同士を完全に引っかける。これにより、薬剤パック７が確実に薬剤保持具１に保持される。
【００２６】
しかる後、基板部２の両面粘着テープ６を容器８の所定部位に貼り付ける。この実施例では、蓋８１の裏蓋８２に貼り付ける。これにより、図３に示されているように、薬剤パック７が薬剤保持具１に保持された状態で容器８内に取り付けられることになる。
【００２７】
これによれば、第１保持片３と第２保持片４によって薬剤パック７が羽交い締めされたようになり、また、薬剤パック７には第１折曲げ片５１と第２折曲げ片５２の反発力が加えられるため、薬剤パック７の脱落が確実に防止される。
【００２８】
また、第１折曲げ片５１および第２折曲げ片５２の折り曲げにより基板部２が補強されるため、薬剤パック７の重さなどよって基板部２が湾曲して両面粘着テープ６の粘着力が弱められることもない。
【００２９】
薬剤パック７を交換するには、薬剤保持具１を裏蓋８２に取り付けたまま、第１保持片３と第２保持片４を解いて薬剤パック７を取り出し、新たな薬剤パック７を上記の手順に沿って保持させればよい。
【００３０】
上記実施例とは異なり、薬剤保持具１を面状ファスナーを介して容器８側に取り付けることもできる。すなわち、面状ファスナーの例えば雌側を容器８側に取り付けるとともに、雄側を基板部２側に取り付け、その雌雄係合により薬剤保持具１を容器８側に取り付けてもよい。
【００３１】
また、この薬剤保持具１の容器８に対する取り付け部位は裏蓋８２に限定されるものではない。容器本体内であってもよい。薬剤パック７についても、その形状や性質など特に限定される必要はない。例えば、海苔などを購入した際に包装袋内にあらかじめ混入された薬剤パックを本発明の薬剤保持具によって保持することも可能である。また、薬剤自体がこの薬剤保持具１にて保持可能な固形体であれば、必ずしもパック形態でなくてもよい。
【００３２】
【発明の効果】
本発明によれば、次のような効果が奏される。薬剤を簡単かつ確実に保持することができる。すなわち、薬剤が羽根部の反発力を受けた状態で保持されるため、容易にずれ落ちることはない。
【００３３】
どのような容器にでも取り付けることができ汎用性が高い。１枚の合成樹脂シートを打ち抜くことにより得られるため製造コストが安価である。容器に取り付けたまま薬剤を交換することができる。折り曲げられた羽根部により基板部が補強されるため、薬剤の重さなどによって基板部が湾曲したり反ったりしない。
【図面の簡単な説明】
【図１】本発明の一実施例に係る薬剤保持具取り付け状態を示した分解斜視図。
【図２】上記実施例の薬剤保持具を展開してその裏面側から見た斜視図。
【図３】上記実施例の薬剤保持具を容器に取り付けた状態を示す斜視図。
【符号の説明】
１  薬剤保持具
２  基板部
３  第１保持片
３１  起立部
３２  係止部
３３  凸部
３４  係止溝
４  第２保持片
４１  起立部
４２  係止部
４３  凸部
４４  係止溝
５１  第１折曲げ片
５２  第２折曲げ片
７  薬剤パック
８  容器
【図１】
0003607550.tif 000002
【図２】
0003607550.tif 000003
【図３】
0003607550.tif 000004